(57)【特許請求の範囲】
【請求項１】
シャワー本体と、前記シャワー本体の両側壁部に設けた凹部と、前記凹部の一壁面に設けた接続手段と、前記接続手段に接続されたノズルアームと、前記シャワー本体及び前記ノズルアームに複数の種類の噴霧ノズルとを備え、
前記シャワー本体は、シャワー本体を基盤として前記ノズルアームを開閉収納可能とし、
前記シャワー本体と、両凹部に収納された前記ノズルアームとの全体構成を略卵状の楕円構成に構成されると共に、前記ノズルアームの構成は、略三日月状に湾曲し、且つその先端は少なくとも接続手段部より前記シャワー本体の垂直中心軸側に編入するよう構成したシャワー装置。
【請求項２】
シャワー本体と、前記シャワー本体の両側壁部に設けた凹部と、前記凹部の一壁面に設けた接続手段と、前記接続手段に接続されたノズルアームと、前記シャワー本体及び前記ノズルアームに複数の種類の噴霧ノズルとを備え、
前記シャワー本体は、シャワー本体を基盤として前記ノズルアームを開閉収納可能とし、
前記凹部の上壁面の延長線と、前記シャワー本体の垂直中心軸とが、交差する傾斜角を鋭角θとし、前記凹部上壁面の略中央の部分に接続手段の支持軸を設け、前記支持軸にノズルアームを接続させて開閉収納を自在可能にしたシャワー装置。
【請求項３】
シャワー本体と、前記シャワー本体の両側壁部に設けた凹部と、前記凹部の一壁面に設けた接続手段と、前記接続手段に接続されたノズルアームと、前記シャワー本体及び前記ノズルアームに複数の種類の噴霧ノズルとを備え、
前記シャワー本体は、シャワー本体を基盤として前記ノズルアームを開閉収納可能とし、
前記接続手段に接続されたノズルアームの前方裏面部の一部を、前記シャワー本体の厚みより薄く構成した薄肉部に複数種の噴射ノズルを配置し、前記シャワー本体の厚みより突出しない厚み以下に押えて構成したシャワー装置。
【請求項４】
シャワー本体の全体寸法を、略成人男性の上半身より小さく構成すると共に、ノズルアームの長さは、シャワー本体の横幅より長く、且つ、縦幅より短くした請求項１〜３のいずれか１項に記載のシャワー装置。
【請求項５】
シャワー本体の正面部分と、ノズルアームの裏面部分に夫々複数種の噴霧ノズルを複数個配置した請求項１から４のいずれか１項に記載のシャワー装置。
【請求項６】
シャワー本体の上部に設けた扇型ノズルＡの配置高さを、ノズルアームが少なくとも９０度展開した時、少なくとも前記ノズルアームに設置した広角ノズルの水平位置高さより高くなるようにした請求項１から５のいずれか１項に記載のシャワー装置。
【請求項７】
接続手段の基軸である支持軸を筒状構成とし、前記支持軸の外周に角度調節手段を設け、前記角度調節手段の部分を前記シャワー本体の内部に配置し、前記支持軸の一部を前記シャワー本体の凹部外方に延長し、この延長された支持軸の延長部分にノズルアームを接続した請求項１から６のいずれか１項に記載のシャワー装置。
【請求項８】
角度調節手段によるノズルアームの開閉可動範囲を０°から１８０°まで任意に調節可能にした請求項１から７のいずれか１項に記載のシャワー装置。
【請求項９】
支持軸の筒状内部に、給水ホースを貫通した請求項１から８のいずれか１項に記載のシャワー装置。
【発明の詳細な説明】
【０００１】
【発明の属する技術分野】
本発明は、シャワー温浴を行なうシャワー装置に関するものである。
【０００２】
【従来の技術】
従来この種のシャワー装置は、特開平１０−２８６５６号公報に記載された内容のもので、図１１に示すように、一般家庭の浴室１００内に設置されたシャワー装置１０１において、椅子１０２に着座してシャワー入浴する入浴者１０３に対して、シャワー装置１０１と、前記シャワー装置１０１の左右に具備されたノズルアーム１０４に設けた複数個の噴霧ノズル１０５からある一定の広がり（充円錐状の噴霧パターンで噴出角は約３０°〜５０°の範囲のもの）を持って噴出される温水シャワーを、入浴者１０２の体表面の前後一帯に向けて噴霧させるものである。また、シャワー装置１０１の幅が略成人男性平均の肩幅より広く構成されていることにより、浴室１００内の冷えた空気及び冷えた壁面１０６から対流する冷気や放射される冷輻射を一端、シャワー装置１０１の表面部で遮断すると共に、前記左右のノズルアーム１０４に設けられた複数個の噴霧ノズル１０５から噴射される温水シャワーで、入浴者１０３を包み込んでシャワー入浴作用を行うものであった。また、特に従来例は工事を伴う設備型商品であった。
【０００３】
【発明が解決しようとする課題】
しかしながら、国内の一般家庭の浴室広さは、概略０．７５坪以下が大半で狭い現状にある。故に、従来のシャワー装置の全体は、ノズルアーム部を含めるとシャワー本体の幅と高さ寸法が大きく、即ち略成人男性平均の上半身より大きく構成されているので、設置条件に制限があり、また、設置出来たとしても洗い場等が狭くなり、入浴行為が妨げられ安全性に欠け、圧迫感や違和感がある等の課題があった。したがって、ノズルアームを収容させてときに、より本体の構造が小型となり入浴行為の妨げにならないようにすることが主な課題となる。またノズルアームの構成が棒状構成で且つ、矩形状のシャワー装置の両側面に並行に接続されているため、体形の異なる入浴者と噴霧ノズルとの位置関係が極端に広がったり、また狭くなったりして比例関係の状態にならないので、噴出される温水シャワーの温度が変化して快適なシャワー入浴を満足できなかったという課題があった。
【０００４】
また、シャワー装置やノズルアームに設けた複数個の噴霧ノズルは、同じ噴霧パターン（略充円錐状の噴霧パターン一種類だけ）で、且つ一定間隔をおいて配置されるため、前記複数個の噴出ノズルから噴出される温水シャワーは、凹凸状の山谷状になって噴射されその噴霧流に沿って浴室内の冷気を巻き込み、その冷気が、入浴者の体表面の上下前後左右から複雑に隙間風を当てるような状況となり不快感を与える課題（即ち温水に浸った浴槽入浴に比べて入浴者は、浴室内に冷気や冷輻射で冷やされやすい。）があった。
【０００５】
また、シャワー入浴する時、入浴者の部位に合わせた噴霧ノズルの種類を変えず、ただ円錐状の噴出パターンの噴霧ノズル１種類で対応しているので、特に顔面や頭髪部分に噴出される温水シャワーの微粒子が、飛散して不快感さを感じるという課題があった。
【０００６】
また、従来例の構成を単に比例的に小型化しても、前記の冷気の巻き込み作用や壁面からの冷輻射を遮断する対策や、噴霧ノズルと被噴射部位との適当な距離関係が維持されないため（噴霧ノズル距離が広がったり、狭すぎたりする状態）、距離が広がると低下し、特に噴霧ノズルから遠い手先や足元等の領域に対しては、十分温める必要があるにも拘らず、温水シャワーの温度低下は大きいため、寒いという課題があった。
【０００７】
逆に狭くなると温水シャワーの温度を高く受けたりして、シャワー入浴の温浴感にバラツキを生じて不快感を与えるという課題が発生する。この現象は特に、冬季や中間期における浴室内は、他の部屋と違って低温多湿であり、また入浴間隔が途切れた場合でも同様な状況が起こり得るため、満足する温浴効果が得られにくかった。場合によってはその状況が加速される場合があるという課題があった。
【０００８】
更に、設備型向けの様相が強く、工事付きで全体的に高額となり、小型化するに当たっての全体的なデザインバランス等抜本的な課題や、幅普拡大に課題があった。
【０００９】
本発明は、上記従来の課題を解決するもので、小型で占有面積が小さく、中心機能となるノズルアームの展開と、収縮、収納が安全自在にでき、体形の異なる入浴者に対応して全身シャワー入浴が快適に行えるシャワー装置を提供することを目的とする。
【００１０】
【課題を解決するための手段】
本発明は上記課題を解決するため、シャワー本体と、前記シャワー本体の両側壁部に設けた凹部と、前記凹部の一壁面に設けた接続手段と、前記接続手段に接続されたノズルアームと、少なくとも複数種類以上の噴霧ノズルをシャワー本体及びノズルアームに配置すると共に、前記シャワー本体を基盤として前記ノズルアームの開閉と収縮、収納を安全自在に行うようにしたものである。
【００１１】
上記発明によれば、シャワー本体の大きさを入浴者の略成人男性の上半身より小さく構成したにも係わらず、シャワー本体の両側部に設けた凹部と、その部分に接続したノズルアームにより、ノズルアームが入浴者の肩幅以上に任意に末広がり、異なった体形に対応して距離関係を適当に保持するようになっていることにより、シャワー本体と、ノズルアームに設けた複数種類の噴霧ノズルによって、噴霧される温水シャワーが入浴者の体表面位部への冷えた浴室冷気気流や壁面からの冷輻射の遮断を大幅に抑制すると共に、入浴者の外周に冷気遮断領域を形成してその冷気遮断領域内で、均一な温水シャワーを浴びせることにより、快適なシャワー入浴を行うことができる。
【００１２】
また、シャワー装置の本体が小型となり狭い浴室にも設置でき、入浴行為が安全で、邪魔にならず圧迫感や違和感も緩和されるものである。更に、ノズルアームの開閉、収納操作が容易に行え、ノズルアームに設けた噴霧ノズルが表面より隠れるため安全でデザイン的にもスマートになる。
【００１３】
【発明の実施の形態】
請求項１記載の発明は、シャワー本体と、前記シャワー本体の両側壁部に設けた凹部と、前記凹部の一壁面に設けた接続手段と、前記接続手段に接続されたノズルアームと、前記シャワー本体及び前記ノズルアームに複数の種類の噴霧ノズルとを備え、前記シャワー本体は、シャワー本体を基盤として前記ノズルアームを開閉収納可能とし、前記シャワー本体と、両凹部に収納された前記ノズルアームとの全体構成を略卵状の楕円構成に構成されると共に、前記ノズルアームの構成は、略三日月状に湾曲し、且つその先端は少なくとも接続手段部より前記シャワー本体の垂直中心軸側に編入するよう構成したものである。
【００１４】
そして、シャワー本体の上部両壁部の凹部に接続手段を介してノズルアームを設け、ノズルアームに複数種の噴霧ノズルを配置することにより、シャワー本体から左右のノズルアームを展開する角度によって、左右のノズルアームの広がり空間領域の中に、子供から大人までの入浴者を包み込み夫々の体形に対応しながら噴霧ノズルとの位置関係が保持されるので、噴霧ノズルから噴射される温水シャワーが、入浴者の体表表面に均一な温度になって当たり、快適で効率的な入浴シャワーを行うことが出来る。
【００１５】
またノズルアームを閉じるとシャワー本体の左右凹部の中に、ノズルアームがスッポリと収納されてシャワー本体がコンパクトな構成に変身する。従って、浴室内に設置されたシャワー本体は、殆ど違和感や、邪魔にもならないものである。
【００１６】
また、シャワー本体、ノズルアーム、接続部品等が単純な構成で小型化出来るので、小型、低価格なシャワー装置が実現できる。更に、凹凸部のない構成となり、安全で、スマートなデザインとなり、また、ノズルアームの展開、収納等の操作が容易で誰でも簡単に使うことができる。
【００１７】
そして、ノズル本体とノズルアームとの全体形状が、略卵状の楕円構成にすることにより、裸で浴室内に入出と入浴行動する入浴者（一人又は複数人）に対して、角部がなく楕円形状なので相互に当て傷事故等が少なく安全である。
【００１８】
また浴室内の何処にでも配置できると共に、配置条件に係わりなく、邪魔・違和感がなく、圧迫感もなく、デザイン的にもスマートなシステム構成となる。
【００１９】
また、接続手段の支点が入浴者の両肩部の近傍に位置し、そこから略三日月状に湾曲したノズルアームが入浴者の体表面部と或る一定距離を保持し沿いながら入浴者の前方に臨み末広がって配置されるので、従来の直線状のノズルアームに比べると入浴者との距離間隔が不揃いなのに比べて比較的最適な角度・位置・距離寸法関係に押えられる。従って、前記ノズルアームに配置された複数種の噴霧ノズルも入浴者に対して適当な寸法距離を保持できるので、噴射される温水シャワーが冷えた浴室内の空気に触れて噴射する温水シャワーの低下を抑制できるので、効率的なシャワー入浴ができる。
【００２０】
請求項２記載の発明は、シャワー本体と、前記シャワー本体の両側壁部に設けた凹部と、前記凹部の一壁面に設けた接続手段と、前記接続手段に接続されたノズルアームと、前記シャワー本体及び前記ノズルアームに複数の種類の噴霧ノズルとを備え、前記シャワー本体は、シャワー本体を基盤として前記ノズルアームを開閉収納可能とし、前記凹部の上壁面の延長線と、前記シャワー本体の垂直中心軸とが、交差する傾斜角を鋭角θとし、前記凹部上壁面の略中央の部分に接続手段の支持軸を設け、前記支持軸にノズルアームを接続させて開閉収納を自在可能にしたものである。
【００２１】
そして、凹部の上壁面に設けた接続手段をシャワー本体の垂直中心軸に対して鋭角θに傾斜させた部分に、ノズルアームを回転自在に配置構成させるもので、先ず、構成が簡単である。この構成によってノズルアームがシャワー本体の前方に、並行状に単に上下に開閉するだけではなく、前方左右上下方向に自由に末広がって展開または収縮されるので、種々体形の異なる入浴者（大人から子供まで）に対して、特にその前方両肩部・両胸部・両腹側部領域部へは比較的比例的な角度・位置・距離関係を保持すると共に、また前方下方領域、即ち両腿、膝から両足元部領域へも過不足ない条件を持って広げることが出来る。従ってノズルアームに配置された噴霧ノズルから噴射される温水シャワーは、夫々均一な温度領域を保持しつつ噴射される。即ち、ノズルアームと入浴者との位置関係に対応して、複数種の噴霧ノズルから噴霧された温水シャワーが、必要以上に温度低下しないよう距離条件に合わせて配置していているため、入浴者は、従来の浴槽入浴に代わる温水シャワーによる全身シャワー入浴作用を行うことができるものである。
【００２２】
これらの作用により、全身シャワー入浴の温浴促進と快適性の向上、また入浴者は、自由に自分に合う温感領域にノズルアームや噴霧ノズルを可動、調節することが出来るので、多くの要求に答えられる。
【００２３】
更に入浴時丈でなく、洗髪、体洗浄等の行為に対してもノズルアームを自在に広げたり、狭くしたりすることにより、入浴者とノズルアームとの距離空間を変化させることが出来るので、前記行為が違和感なく、スムーズに行なうことが出来る。
【００２４】
請求項３記載の発明は、シャワー本体と、前記シャワー本体の両側壁部に設けた凹部と、前記凹部の一壁面に設けた接続手段と、前記接続手段に接続されたノズルアームと、前記シャワー本体及び前記ノズルアームに複数の種類の噴霧ノズルとを備え、前記シャワー本体は、シャワー本体を基盤として前記ノズルアームを開閉収納可能とし、前記接続手段に接続されたノズルアームの前方裏面部の一部を、前記シャワー本体の厚みより薄く構成した薄肉部に複数種の噴射ノズルを配置し、前記シャワー本体の厚みより突出しない厚み以下に押えて構成したものである。
【００２５】
そして、ノズルアームの前方裏面部の薄肉部に、複数種の噴霧ノズルの全てを配置したので、前記シャワー本体内にノズルアームを収納した際、前記噴霧ノズルが傷つくことなく収納されると共に、前記シャワー本体の全面より突出することなく平面的に収まるのでデザイン的にスマートになった。
【００２６】
また、シャワー本体にないに収納されたノズルアームを広げ展開する場合、一方逆に、使用中の展開したノズルアームを収縮収納する場合、どちらの場合でもシャワー本体の側面に片手、または両手を、ノズルアームの薄肉部に安全且つスムーズに挿入して、ノズルアームを確実に展開、収縮、収納させることが出来るものである。
【００２７】
請求項４記載の発明は、シャワー本体の全体寸法を、略成人男性の上半身より小さく構成すると共に、ノズルアームの長さは、シャワー本体の横幅より長く、且つ、縦幅より短くしたものである。
【００２８】
そして、シャワー本体の全体寸法を、略成人男性の上半身より小さく構成することにより、シャワー本体がコンパクトであるにも拘らず、左右のノズルアームを展開すると、展開角の位置によって、子供から略成人男性の上半身より大きく末広がって、全ての入浴者に対応して満足いく使用条件を確保できるものである。
【００２９】
また、ノズルアームの長さを、シャワー本体の横幅より長く（略平均成人男性の片側の肩幅より長くした）したことにより、シャワーアームを広げた際、入浴者の胸部前後最大距離より前方にシャワーアームが伸張して前記シャワーアームに配置された複数種の噴霧ノズルから噴射される温水シャワーが入浴者の上半身部領域と両脚、膝・両足元先部領域に、均一な温水シャワーを噴霧させることが出きる。これにより温水シャワーによるシャワー入浴の促進、快適さの等が実現できる。
【００３０】
またこの状況は入浴者の各種体形の違いにも大方対応できるものである。更に、前記ノズルアームの長さが、凹部内に完全に収納される寸法構成なので、使用時においては効率的に作用し、閉じた際にはシャワー本体内に収納できるため、突起部がなくなり、安全で、デザイン的にもスマートになり一層コンパクト性を強調することが出来る。
【００３１】
請求項５記載の発明は、シャワー本体の正面部分と、ノズルアームの裏面部分に夫々複数種の噴霧ノズルを複数個配置したものである。
【００３２】
そして、複数種の噴霧ノズルの配置条件を、シャワー本体には正面部分に、またノズルアームには裏面部分に配置したので、例えば入浴者が着座してシャワー入浴を行う場合は、シャワー本体に配置された噴霧ノズルからは、入浴者の首部から両肩及び背中領域に温水シャワーが噴霧され、また一方約９０度前後に広げられたノズルアームに配置された噴霧ノズルからは、入浴者の前方正面から胸部や下半身上部、両側面領域、及び下半身部の両膝部から両足元部領域へ温水シャワーが噴射されるので、満遍なく入浴者の下半身以下の全領域に温水シャワーが適当に当たってシャワー入浴の促進と快適性の向上が期待できる。
【００３３】
一方入浴者が立脚してシャワー入浴を行う場合（特に、夏場の期間や若年層の入浴者）は、ノズルアームを前記より更に展開して殆ど垂直の１８０度まで広げて使用することになる。この場合シャワー本体やノズルアームの全ての噴霧ノズルが、入浴者の全面に向かって温水シャワーを噴射することになるので、入浴者が自由奔放に体を動かしながら、自分のニーズに合わせてシャワー入浴を行うことが出来るので満足行くシャワー入浴となる。
【００３４】
請求項６記載の発明は、シャワー本体の上部に設けた扇型ノズルＡの配置高さを、ノズルアームが少なくとも９０度展開した時、少なくとも前記ノズルアームに設置した広角ノズルの水平位置高さより高くなるようにしたものである。
【００３５】
そして、扇型ノズルＡの配置位置高さが、少なくとも９０度展開したノズルアームに設置した広角型ノズルの水平位置の高さより高く配置されることにより、扇型ノズルＡから水平に噴霧される噴霧パターンの位置に、椅子に着座した入浴者の首筋の略中心部分を当てることにより、ほぼどの体形の入浴者でも入浴者と全体シャワーモードとの位置関係が決定付けられて、シャワー装置の位置決め操作が容易に決められるので、即く快適なシャワー入浴が行えるものである。
【００３６】
また、少なくとも広角型ノズルから噴霧される噴霧パターンの先端部分が、入浴者の顔面または頭髪部分に飛散することを少しでも抑制することが出来るので、気分を害せず、違和感なく快適なシャワー入浴を行うことが出来る。
【００３７】
請求項７記載の発明は、接続手段の基軸である支持軸を筒状構成とし、前記支持軸の外周に角度調節手段を設け、前記角度調節手段の部分を前記シャワー本体の内部に配置し、前記支持軸の一部を前記シャワー本体の凹部外方に延長し、この延長された支持軸の延長部分にノズルアームを接続したものである。
【００３８】
そして、接続手段の支持軸を筒状構成とし、その外周の角度調節手段部分を前記シャワー本体部部内に設けると共に、前記支持軸の延長部部に前記シャワー本体とノズルアーム部分とを接続することにより、接続機構部分がコンパクトに構成され、限られたシャワー本体の厚みの寸法内に接続手段部分が収まり、ノズルアームもまた支持軸だけで接続されるので薄型構成が可能となり、その薄型ノズルアームに配置された複数種の噴霧ノズルが支障なく配置される構成が具現できたものである。
【００３９】
請求項８記載の発明は、角度調節手段によりノズルアームの開閉可動範囲を０から１８０度任意に調節可能にしたものである。
【００４０】
そして、ノズルアームの開閉角度を０から９０度、１８０°と任意に調節することにより、入浴者のシャワー入浴を着座姿勢から立脚した姿勢の状態まで幅広く使用でき、しかもノズルアームが前方に突出しないので浴室内の特に洗い場が広々と使用できるので自由度が広がって実用的価値が拡大されるものである。
【００４１】
特に、前記の着座姿勢でシャワー入浴する場合は、ノズルアームを概略９０度前後に広げて使用するので、シャワー本体に配置された噴霧ノズルからは、入浴者の首部から両肩及び背中領域に温水シャワーが噴霧され、またノズルアームに配置された噴霧ノズルからは、入浴者の前方正面から胸部や下半身上部、両側面領域、及び下半身部の両膝部から両足元部領域へ集中的に温水シャワーが噴射されるので、シャワー入浴の促進と快適性の向上が期待できる。
【００４２】
一方立脚姿勢でシャワー入浴する場合（特に、夏場の期間や若年層の入浴者）は、ノズルアームを前記より更に展開して殆ど垂直の１８０度まで広げて使用することになる。この場合シャワー本体やノズルアームの全ての噴霧ノズルが、入浴者の全面に向かって温水シャワーを噴射することになる入浴者は自由自在に動き回ってシャワー入浴楽しむことが出来る。また、洗髪しながらの正に全身入浴シャワーモードを立ったり座ったりしながら温水シャワー入浴が出来、また入浴者の体調や気分等の使用条件、季節や入浴時間等の条件、また朝シャン、スポーツ運動後、子供や障害者、老人等のシャワーによる介護入浴等の諸条件に、更には犬、猫等のペットの洗浄等にも自由自在に対応できる等、利用の自由度が大いに拡大して実用的、多機能的なシャワー装置が実現できたものである。
【００４３】
請求項９記載の発明は、筒状構成の支持軸内に、給水ホースを貫通したものである。
【００４４】
そして、限られた薄くノズルアームへの配管を筒状の支持軸内を貫通させて配管することが出来るので、配管組立の効率化、スペースの削減また配管構成部分での屈曲部が発生しにくく、配管抵抗の減少、更にはノズルアームの開閉、作動に関しても何ら配管相互間に外力が加わらないので、ノズルアームの作動がスムーズリーに行え、これによって配管ホースの障害も抑制されて耐久性向上が図られるものである。
【００４５】
【実施例】
以下、本発明の実施例１について図面を用いて説明する。
【００４６】
（実施例１）
図１は本発明の実施例１におけるシャワー装置のシステム全体を示した外観図、図２は同シャワー装置の噴出状態を示す外観正面図、図３は同シャワー装置の噴出状態を示す外観側面図、図４は同シャワー装置の噴出状態を示す外観平面図、図５は同シャワー装置の湯水回路を示す配管系統図、図６は前記図１の部分詳細説明（点線表示）した接続手段の一部拡大図である。図７は広角型ノズルとその噴出パターン図、また図８は旋回型ノズルとその噴出パターン図、また図９は扇型ノズルとその噴出パターン図である。
【００４７】
図１、２、３によって実施例１の説明をする。１は略卵形状の楕円形状をしたシャワー装置のシャワー本体で、その最大横幅の寸法Ａは、略成人平均男性の寸法（日本人の人体計測データ集：発行元・人間生活工学研究センターによる。以下人体データ集と呼ぶ。）より小さく、その最大縦長寸法Ｂは、前記の略成人平均男性の寸法、即ち肩部から腰部までの平均長さ（前記と同資料）程度に設定している。前記シャワー本体１の上下両側面部には、若干上下に傾斜して切り抜いた凹部２を構成し、前記凹部２内には略三日月状に湾曲したノズルアーム３が、前記凹部２の上部に接続された接続手段４を介して前記シャワー本体１の前方上下左右に末広がるように展開して、収縮、収納自在に可動するように接続されている。そして、両ノズルアーム３を前方に開放展開させた際には、両ノズルアーム３の少なくとも先端部から薄肉部５の末端近傍の距離間隔幅Ｃは、少なくとも略成人男性の平均肩幅（人体計測データ集）より広くなるよう寸法設定されている。
【００４８】
前記シャワー本体１１は、図３により前記シャワー本体１の内部背部、又は浴室６の壁面７部に専用に設けた固定手段（図示なし）、又は着脱手段等（図示なし）で固定されている。例えば前記の固定手段（図示なし）等は、一般化されてきた耐熱性の両面テープ・接着剤を用いた板（図示なし）、またはゴム、樹脂材等から構成される吸盤や専用固定金具類等（いずれも図示なし）の手段で固定されてもよい。この際、前記シャワー本体１は、前記シャワー本体１の下部中央部に伸縮自在に成るよう固定された支柱８が浴室６の壁面７と床面の角部に設置された台座９に固定されて、前記シャワー本体１の全荷重を支え固定されている。１０はシャワー本体１の前面に配置された椅子１１に座った入浴者である。
【００４９】
次に全身シャワー入浴モードとして、シャワー本体１の上部には入浴者１０の首部領域から左右それぞれの両肩部に向けて扇状で薄膜水平状に噴射する扇型ノズルＡ１２が左右対象に夫々２個又は中央部に少なくとも１個（図示なし）、またシャワー本体１の下部中央部分には、背中全面に集中的に広く充円錐状に噴射する広角型ノズル１３が左右対象にそれぞれ２個又は少なくとも１個（図示なし）を設け、一方前記ノズルアーム３には、先端部から接続手段４部の方向に掛けて順に、入浴者１０の胸部と腹部に旋回脈動し刺激を与えながら鋭角円錐状に噴霧する旋回型ノズルＡ１４を、入浴者１０の胸部方向に向けて、また両腿、膝、脚、足元部領域に比較的狭い鋭角円錐状で旋回脈動しながらやや粒子径の大きい直噴霧式の旋回型ノズルＢ１５を膝、足元に向けて、また両肩部から体側部・腹側部・大腿部側部・膝下側部等に向けてそれらの体表面部に接触しながら扁平扇状に少なくとも鈍角で幅広く噴射する扇型ノズルＢ１６を主として体側部に向けて幅広く噴霧するよう、更に両肩部及び両腕上部領域に広く集中的且つ比較的広角高密度状の充円錐状に噴射する広角型ノズル１３（尚、前記シャワー本体中央部に設けた広角型ノズル１３と同仕様）を両肩に向けて夫々左右対象に少なくとも２個設けられている。
【００５０】
次に、局部シャワー入浴モードとして、部分的に脈動旋回しながら刺激を与える温水シャワーを、堅甲骨部や背筋部領域に臨むよう旋回型ノズルＡ１４（前記ノズルアーム３に設けた旋回型ノズル１４と同仕様のもの）等を、前記シャワー本体１の中央部に設けた広角型ノズル１３の略上下に少なくとも対照的に２個設けている。
【００５１】
尚、前記した全身シャワー入浴モードと局部シャワー入浴モードとを切替える手段は、シャワー本体１の下方右部にシャワー切替レバー１７を設け、このシャワー切替レバー１７の回転角を、例えば水平時は全身シャワー入浴モード、水平角度から下方に４５°傾斜すれば局部シャワー入浴モードに可変出来るよう予め設定されている。（尚、シャワー切替手段は、前記シャワー切替レバー１７に連結されてシャワー本体１の下部に内臓されており図示はしていない。）配管に関しては、前記シャワー本体１の下部には、主配管接続口１８が突出し、該主配管接続口１８の先端には、前期シャワー本体１とハンドシャワー１９側へ給湯給水を切替えるモード切替手段２０を接続し、前期モード切替手段２０の一部には、現在国内の家庭では一般的に設置されるようになったサーモ式混合栓２１（以下、混合栓と呼ぶ）に連結ホース２２で連結されている。
【００５２】
尚、主配管接続口１８の長さは、種々浴室条件や設置条件によって変えられるものである。従って、元々混合栓２１の接続部２３に接続されていたハンドシャワー１９の継手具２４を外して、この継手具２４を、前記モード切替手段２０の一部分に今回新たに接続したものである。
【００５３】
尚、前記モード切替手段２０には、前記前記シャワー本体１と今回設置したハンドシャワー１９とを切替える切替ツマミ２５が設けられている。また、前記混合栓２１には湯温調節ツマミ２６、止水流調ツマミ２７、蛇口２８と前記シャワー本体１とを切替える切替弁２９が具備されている（尚、前記モード切替手段２０と図示していないシャワー切替手段（図示なし）とは一体化しても良い。即ち、シャワー切替レバー１７を三方向に切替えることにより、全身シャワー入浴モード、局部シャワー入浴モード、及びハンドシャワーモードの三モードを切替える手段と方法があり、利便性を考慮し、改めてここに付記しておく）。
【００５４】
また、前記した配管状況を図５の配管系統図で詳細に図示化し説明している。次に、入浴者１０に対して各種噴霧ノズルが、どのように噴霧されるかの状況を簡単に説明する。
【００５５】
先ず、全身シャワー入浴モードの場合は、シャワー本体１の下方右部のシャワー切替レバー１７を、例えば水平に駆動させると全身シャワー入浴モードとなり、シャワー本体１上部の扇型ノズルＡ１２（２個）からは、入浴者の１０の首後方から略鋭角で扇状の薄膜水平状の温水シャワーカーテンＥ（図２、３、４）に、又シャワー本体１の中央部の広角型ノズル１３（２個）からは、入浴者１０の背中領域に向けて広角円錐状Ｆ（図３）に、一方、ノズルアーム３の先端部に設けられた旋回型ノズル１４からは、旋回脈動し刺激を与えながら鋭角円錐状の温水シャワーＧ（図２、３、４）に、又、両ノズルアーム３の先端部から２番目の旋回型ノズルＢ１５（２個）からは、両腿、膝、脚、足元部領域に比較的狭い鋭角円錐状で旋回脈動しながらやや粒子径の大きい直噴霧状の温水シャワーＨ（図２、３、４）に、また、両ノズルアーム３の先端部から３番目の扇型ノズルＢ１６（２個）からは、前記扇型ノズルＡ１２に比べれば、鈍角で流量も多く扇状の薄膜垂直状に、しかも展開したノズルアーム３の部分から入浴者１０の前方に向かってその両肩部から体側部・腹側部・大腿部側部・膝下側部等に向けてそれらの体表面部に接触しかがら温水シャワーカーテンＩ（図２、３、４）を形成しながら、且つ前方に向けて双方の温水シャワーカーテンＩは収束するように設定されるものである。
【００５６】
更に又、両ノズルアーム３の先端部から４番目の広角型ノズル１３（２個）からは、入浴者の両肩部及び両腕上部領域に広く集中的に、且つ比較的高密度でほぼ鈍角で充円錐状の温水シャワーＪに噴射される。
【００５７】
特に、全身シャワー入浴モードで重要な条件は、シャワー本体１が入浴者１０の肩幅より狭いため、浴室６や壁面７からの冷気や冷輻射を遮断し抑制するために、扇型ノズルＡ１２で形成される扇状の薄膜水平状の温水シャワーカーテンＥと、ノズルアーム３の扇型ノズルＢ１６で形成される扇状の薄膜垂直状の温水シャワーカーテンＩが作用し、前記双方の温水シャワーカーテンＥと、温水シャワーカーテンＩで方位されるシャワーカーテン領域Ｋ（図４）内に、入浴者１０がすっぽり包まれるように着座しているために、前記シャワーカーテン領域Ｋ（図４）に向かって、シャワー本体１に配置された広角型ノズル１３からは、背中、両肩下領域等に臨む温水シャワーＦが、またノズルアーム３に設けられた旋回型ノズルＡ１４からは、両胸、腕上部領域に臨むの温水シャワーＧが、また旋回型ノズルＢ１５からは、両腿、膝、脚、足元部領域に臨む温水シャワーＨが、更に広角型ノズルからは、両肩領域に集中的に臨む温水シャワーＪ等々が効果的、且つ集中的に入用者の体表面と噴霧ノズルとの位置、方向、等の適度な位置関係を保って、温水シャワー郡が入浴者１０の略体表面部に適度な温度を保持しつつ満遍なく噴霧され全身シャワー入浴が行なわれるものである。
【００５８】
次いで、局部シャワー入浴モード（図３）場合は、シャワー本体１の下方右部のシャワー切替レバー１７を、例えば水平角度から下方に４５°傾斜すれば、局部シャワー入浴モードに設定される。そして、局部シャワー入浴モードとして、特に入浴１０の堅甲骨部や背筋部領域部分に臨むよう設けた４個の旋回型ノズルＡ１４から、前記全身シャワー入浴モードの約半分の流量が勢いよく脈動旋回しながら刺激を与える温水シャワーＬを噴射させるようになっている。従って、堅甲骨部や背筋部領域の局部に刺激性のある温水シャワーが当たるので、若干マッサージ作用をしているような気分になれ心地よく、快適な温水シャワー入浴を行うことができるものである。
【００５９】
次に動作、作用、効果について説明する。先ず入浴者１０は、シャワー入浴の準備のため、夏場は即、裸体で浴室６に入れるが、中間期または冬季は着衣状態で、シャワー本体１の前に入浴者１０が座る椅子１１を設置し、予め準備のため椅子１１に座って、自分に首筋の後方にシャワー本体１の扇型ノズルＡ１２がほぼ水平位置になるように、前記シャワー本体１の高さを調節（調節手段は図示なし）して設置する。そしてシャワー本体１内に収納されているノズルアーム３を両手または片手で持ち上げるように左右に広げて、自身の肩幅のやや前方上方に設置する。
【００６０】
次に、混合栓２１の温度調節ツマミ２６をシャワー温浴温度（例えば約４２℃）に設定し、切替弁２９をシャワー本体１側に切替（元々はハンドシャワー１９側）え、また前記シャワー本体１の下部に設けたモード切替手段２０の切替ツマミ２５をシャワー本体１側に切替え、次いで切替レバー１７を水平方向にセットした後、前記混合栓２１の止水流調ツマミ２７を全開にすると、先止め式の給湯機（図示なし）が運転され、給湯が開始され混合栓２１を介して約４２℃の湯が連結ホース２２、モード切替手段２０、主配管接続口１８およびシャワー本体１内の複数の配管（図５参照）を経由して、各複数種の噴霧ノズルから適温の温水シャワーが噴射される。しばらくして入浴者１０は、椅子に１１に座ると温水シャワーが全身に噴霧され全身シャワー入浴モードを楽しむことができる。このシャワー入浴の状況は、即ち、シャワー本体１の扇型ノズルＡ１２からは入浴者１０の首後方から略鋭角で扇状の薄膜水平状の温水シャワーカーテンＥを形成し、また広角ノズル１３からは、入浴者１０の背中領域に向けて広角円錐状の温水シャワーＦを形成し、一方両ノズルアーム３の先端に設けた旋回型ノズルＡ１４からは、入浴者１０の両胸部と腹部に旋回脈動し刺激を与えながら鋭角円錐状に噴霧する鋭角円錐状の温水シャワーＧを形成し、また両ノズルアーム３の先端部から２番目の旋回型ノズルＢ１５からは、入浴者１０の両腿、膝、脚、足元部領域に比較的狭い鋭角円錐状で旋回脈動しながらやや粒子径の大きい直噴霧状の温水シャワーＨを形成し、また両ノズルアーム３の先端部から３番目の扇型ノズルＢ１６からは、前記扇型ノズルＡ１２に比べれば、鈍角で流量も多く扇状の薄膜垂直状に、しかも展開したノズルアーム３の部分から入浴者１０の前方に向かってその両肩部から体側部・腹側部・大腿部側部・膝下側部等に向けてそれらの体表面部に接触しなかがら温水シャワーカーテンＩを形成しながら、且つ前方に向けて左右の温水シャワーカーテンＩは、相互が収束するように噴霧される。
【００６１】
更に又、両ノズルアーム３の先端部から４番目の広角型ノズル１３からは、入浴者の両肩部及び両腕上部領域に広く集中的に、且つ比較的高密度でほぼ鈍角で充円錐状の温水シャワーＪを形成しながら噴射される。従って、前記のように実施例では、１２個の複数種類の噴霧ノズルから噴霧される温水シャワーの状況は、入浴者１０の体表面全域に満遍なく、ほぼ均一な温水シャワー温度が当たって快適、効率的な温水シャワーが噴霧されるものである。
【００６２】
即ち、シャワー本体１が入浴者１０の肩幅より狭いにも拘わらず、浴室６や壁面７からの冷気や冷輻射を遮断し抑制するために、温水シャワーカーテンＥと、温水シャワーカーテンＩが相互に作用して形成されるシャワーカーテン領域Ｋの中に、入浴者１０がすっぽり包まれるように着座しているために、前記シャワーカーテン領域Ｋに向かって、温水シャワーＦ、Ｇ、Ｈ、が入浴者の上半身部の体表面全域（首部、両肩部、両胸部、両体側腹部、から下半身部の両腿、膝、脚、足元部領域）にほぼ満遍なく、均一に且つ集中的に温かい温水シャワーが噴射される。従って、入浴者は、正に浴室入浴に代わって、"冷ヤット感"がなく、均一な温浴感と、適当な温水シャワーによる刺激感を感じながら、快適で効率的な温水シャワー入浴を行うことが出来るものである。
【００６３】
特に、本シャワー装置に置けるシャワー入浴は、即、子供から老人及び障害者、介護者等を含めた男女が構えず容易に入れ、また自由な着座姿勢で入浴できること、また体温より高い入浴温度の温水に浸ることや水圧による等による心拍数や血圧等の急な上昇等が、殆ど皆無である条件の中でシャワー入浴できるので、健康的にも安心できる入浴方法である。
【００６４】
次に、局部シャワー入浴モードに切替えれば、旋回型ノズル１４から勢いよく脈動、旋回流の温水シャワーＬが、肩甲骨や背筋部領域に集中して噴射されるので、若干マッサージ作用をしているような気分を与え、疲れを解消できるような温水シャワーを味わうことができものである。
【００６５】
（実施例２）
図１、２、３によって実施例２の説明をする。シャワー本体１の横幅寸法Ａを、略成人男性の上半身より小さくし、また縦長寸法Ｂを前記略成人男性の上半身と同一またはそれ以下に構成する。また、ノズルアーム３の長さは、前記シャワー本体１の横幅寸法Ａより長く、縦長寸法Ｂより短く構成したもので、ノズルアーム３の長さは、概略、略成人男性の胸部前後最大距離（以下胸厚みと呼ぶ）より長くなり、ノズルアーム３を前方水平に展開し広げた際には、少なくとも入浴者の胸部前方以上に伸びるよう寸法を設定し構成したものである。
【００６６】
次に動作、作用、効果について説明する。ノズルアーム３の長さは、前記したシャワー本体１の寸法条件下の中で、シャワー本体１の両側面に設けた凹部２に収納されるノズルアーム３の長さが概略成人男性の胸部前後最大距離（以下胸厚みと呼ぶ）より長くなるように凹部２の長さの寸法を予め設定したことにより、ノズルアーム３を前方水平に展開し広げた際には、少なくとも入浴者１０の胸厚みの前方以上に突出するもの出ある。従って、シャワー本体１がコンパクトであるにも拘らず、左右のノズルアーム３を展開すると、展開角の位置によって、子供から略成人男性の上半身より大きく末広がって、ノズルアーム３が全ての入浴者１０の前方に突出すると共に、少なくともノズルアーム３の先端部部に設けられた旋回型ノズル１４，１５は、入浴者１０の前方から入浴者１０の胸部領域へ臨むようノズルアーム３の長さと、前記２種類の噴霧ノズルの設置寸法を確保して配置しているものである。
【００６７】
そして、ノズルアーム３を広げた際、入浴者１０の胸厚みより前方にノズルアーム３が伸張して、前記ノズルアーム３に配置された複数種の噴霧ノズルから噴射される温水シャワーが入浴者の上半身部領域と両脚、膝・両足元先部領域に、均一な温水シャワーを噴霧させることが出きる。これにより温水シャワーによるシャワー入浴の促進、快適さの等が実現できる。またこの状況は入浴者の各種体形の違いにも大方対応できるものである。更に、前記の長いノズルアーム３が、凹部２内に完全に収納されるので、使用時においては効率的な機能展開を図り、閉じた際にはシャワー本体内に収納できるため、突起部がなく、安全で、デザイン的にもスマートになり、一層コンパクト性を強調することが出来、狭い浴室６内への設置制限が殆どなくなり、圧迫感、違和感等が殆どなく、多くの一般家庭への設置が拡大するものである。
【００６８】
（実施例３）
図１、２、３によって実施例３の説明をする。シャワー本体１と、両凹部２に収納されたノズルアーム３との全体構成を略卵状の楕円構成に構成されると共に、前記ノズルアーム３の構成は、略三日月状に湾曲し、且つその先端は少なくとも接続手段４部より前記シャワー−本体１の垂直中心軸Ｏ−Ｏ'側に片寄るよう構成したものである。
【００６９】
次に動作、作用、効果について説明する。シャワー本体１とノズルアーム３との全体形状が、略卵状の楕円構成にすることにより、裸で浴室６内に入出と入浴行動する入浴者２０（一人又は複数人）に対して、角部がなく楕円形状なので相互に当て傷事故等が少なく安全である。また浴室６内の何処にでも配置できると共に、配置条件に係わりなく、邪魔・違和感がなく、圧迫感もなく、デザイン的にもスマートなシステム構成となる。また、接続手段４の支点が入浴者２０の両肩部の近傍に位置し、その近傍からノズルアーム３が略三日月状に湾曲しているため、入浴者２０の体表面部と或る一定距離を保持し沿いながら入浴者の前方方向へ臨み末広がって配置されるので、従来の直線状のノズルアームに比べると入浴者との距離間隔が不揃いなのに比べて比較的最適な角度・位置・距離寸法関係に押えられる。従って、前記ノズルアームに配置された複数種の噴霧ノズルも入浴者に対して適当な寸法距離を保持できるので、噴射される温水シャワーが冷えた浴室内の空気に触れて噴射する温水シャワーの低下を抑制できるので比較的温度差のないほぼ均一な噴霧温度の温水シャワーとなるので、快適で効率的なシャワー入浴ができる。
【００７０】
（実施例４）
図１、２、３及び図６によって実施例４の説明をする。シャワー本体１の凹部２の上壁面３０の延長線Ｑと、シャワー本体１の垂直中心軸Ｏ−Ｏ'とが、交差する傾斜角を鋭角θとし、前記凹部２上壁面３０の略中央の部分に接続手段４の支持軸３１を設け、前記支持軸３１にノズルアーム３を接続させて開閉収納を自在可能に構成したものである。
【００７１】
次に動作、作用、効果について説明する。シャワー本体１の両側部に設けた凹部２の上壁面３０に設けた接続手段４をシャワー本体１の垂直中心軸３１に対して鋭角θに傾斜させた部分（実験によれば約に２０〜３０度の範囲が適当な傾斜角であった。）に、ノズルアーム３を回転自在に配置構成させたので、先ず、構成が簡単である。
【００７２】
この構成によってノズルアーム３がシャワー本体１の前方に、並行状に単に上下に開閉するだけではなく、前方左右上下方向に自由に末広がって展開または収縮されるので、種々体形の異なる入浴者２０（大人から子供まで）に対して、特にその前方両肩部・両胸部・両腹側部領域部へは比較的比例的な角度・位置・距離関係を保持すると共に、また前方下方領域、即ち両腿、膝から両足元部領域へも過不足ない条件を持って広げることが出来る。従ってノズルアームに３配置された複数種の噴霧ノズルから噴射される温水シャワーは、夫々均一な温度領域を保持しつつ噴射される。即ち、ノズルアーム３と入浴者２０との位置関係に対応して、複数種の噴霧ノズルから噴霧された温水シャワーが、必要以上に温度低下しないよう距離条件に合わせて配置していているため、入浴者２０は、従来の浴槽入浴に代わる温水シャワーによる全身シャワー入浴作用を行うことができるものである。
【００７３】
これらの作用により、全身シャワー入浴の温浴促進と快適性の向上、また入浴者は、自由に自分に合う温感領域にノズルアーム３や噴霧ノズルを可動、調節することが出来るので、多くの要求に答えられる。
【００７４】
更に入浴時丈でなく、洗髪、体洗浄等の行為に対してもノズルアームを自在に広げたり、狭くしたりすることにより、入浴者とノズルアームとの距離空間を変化させることが出来るので、前記行為が違和感なく、スムーズに行なうことが出来る。
【００７５】
（実施例５）
図１、２、３によって実施例５の説明をする。シャワー本体１の正面部分と、ノズルアーム３の裏面部分に夫々複数種の噴霧ノズルを複数個配置するよう構成したものである。
【００７６】
次に動作、作用、効果について説明する。複数種の噴霧ノズルの配置条件を、シャワー本体１には正面部分に、またノズルアーム３には裏面部分に配置したので、例えば入浴者２０が着座してシャワー入浴を行う場合は、シャワー本体１に配置された噴霧ノズルからは、入浴者２０の首部から両肩及び背中領域に温水シャワーが噴霧され、また一方約９０度前後に広げられたノズルアーム３に配置された噴霧ノズルからは、入浴者２０の前方正面から胸部や下半身上部、両側面領域、及び下半身部の両膝部から両足元部領域へ温水シャワーが噴射されるので、満遍なく入浴者の下半身以下の全領域に温水シャワーが適当に当たってシャワー入浴の促進と快適性の向上が期待できる。
【００７７】
一方入浴者が立脚してシャワー入浴を行う場合（特に、夏場の期間や若年層の入浴者）は、ノズルアーム３を前記より更に展開して殆ど垂直の１８０度まで広げて使用することになる。この場合シャワー本体やノズルアーム３の全ての噴霧ノズルが、入浴者２０の全面に向かって温水シャワーを噴射することになるので、入浴者が自由奔放に体を動かしながら、自分のニーズに合わせてシャワー入浴を行うことが出来るので満足行くシャワー入浴となる。
【００７８】
（実施例６）
図１、２、３によって実施例６の説明をする。接続手段４に接続されたノズルアーム３の前方裏面部の一部を、前記シャワー本体１の厚みより薄く構成した薄肉部５に複数種の噴射ノズルを配置し、前記シャワー本体の厚みより突出しない厚み以下に押えて構成したものである。
【００７９】
次に動作、作用、効果について説明する。ノズルアーム３の前方裏面部の薄肉部５に、複数種の噴霧ノズルの全てを配置したので、前記シャワー本体１内にノズルアーム３を収納した際、前記噴霧ノズルが傷つくことなく収納されると共に、前記シャワー本体１の全面より突出することなく平面的に収まるのでデザイン的にスマートになった。
【００８０】
また、シャワー本体１内に収納されたノズルアーム３を広げ展開する場合、また使用中即ち展開したノズルアーム３を収縮収納する場合、前者、後者に拘わらずどちらの場合でもシャワー本体１の側面に片手、または両手を、ノズルアーム３の薄肉部５に"サット"と安全に挿入して、ノズルアーム３を確実に展開、収縮、収納させることが出来るものである。
【００８１】
（実施例７）
図１、２、３によって実施例７の説明をする。シャワー本体１の上部に設けた扇型ノズルＡ１２の配置高さを、ノズルアーム３が少なくとも９０度展開した時、少なくとも前記ノズルアーム３に設置した広角ノズル１３の水平位置の高さより高くなるように配置構成したものである。
【００８２】
次に動作、作用、効果について説明する。シャワー本体１に設けた扇型ノズルＡ１２の配置位置高さを、少なくとも９０度展開したノズルアーム３に設置した広角型ノズル１３の位置高さより高く配置したことにより、先ず、扇型ノズルＡ１２から水平に噴霧される噴霧パターンの位置に、椅子１１に着座した入浴者２０の首筋の略中心部分を当てることにより、ほぼどの体形の入浴者２０でも、入浴者２０と全体シャワーモードとの位置関係が決定付けられるので、位置決め操作が簡単で、快適なシャワー入浴が即行えるものである。
【００８３】
また、扇型ノズルＡ１２の少なくとも下方に、広角型ノズル１３が位置するために前記広角型ノズル１３から噴霧される噴霧パターンＪの先端部分が、入浴者２０の顔面または頭髪部分に飛散することを少しでも抑制することが出来、いやな気分になることなく、違和感もなくて快適なシャワー入浴を行うことが出来る。
【００８４】
（実施例８）
図１、２、３によって実施例８の説明をする。接続手段４の基軸である支持軸３１を筒状構成とし、前記支持軸３１の外周に角度調節手段３２を設け、前記角度調節手段３２の部分を前記シャワー本体１の内部に配置し、前記支持軸３１の一部を前記シャワー本体１の凹部２外方に延長し、この延長された支持軸３１の延長部分３３にノズルアーム３を接続するよう構成したものである。
【００８５】
次に動作、作用、効果について説明する。接続手段４の支持軸３１を筒状構成とし、その外周の角度調節手段３２部分を前記シャワー本体１の内部に設けると共に、前記支持軸３１の延長部分３３に、前記シャワー本体１とノズルアーム３部分とを接続することにより、接続機構部分がコンパクトに構成されて限られたシャワー本体１の厚みの寸法内に接続手段４部分が収まり、ノズルアーム３も支持軸３１だけで接続されるので薄型構成が可能となり、その薄型のノズルアーム３に配置された複数種の噴霧ノズルが支障なく配置される構成が具現できたものである。
【００８６】
（実施例９）
図１、２、３によって実施例９の説明をする。角度調節手段によるノズルアームの開閉可動範囲を０°から１８０°まで任意に調節可能にするようにしたものである。
【００８７】
次に動作、作用、効果について説明する。ノズルアーム３の開閉角度を０から９０度、１８０°と任意に調節することにより、入浴者２０のシャワー入浴を着座姿勢から立脚した姿勢の状態まで幅広く使用でき、しかもノズルアーム３が前方に突出しないので浴室６内の特に洗い場が広々と使用できるので自由度が広がって実用的価値が拡大されるものである。特に、前記の着座姿勢でシャワー入浴する場合は、ノズルアームを概略９０度前後に広げて使用するので、シャワー本体１に配置された噴霧ノズルからは、入浴者２０の首部から両肩及び背中領域に温水シャワーが噴霧され、またノズルアーム３に配置された噴霧ノズルからは、入浴者２０の前方正面から胸部や下半身上部、両側面領域、及び下半身部の両膝部から両足元部領域へ集中的に温水シャワーが噴射されるので、シャワー入浴の促進と快適性の向上が期待できる。
【００８８】
一方立脚姿勢でシャワー入浴する場合（特に、夏場の期間や若年層の入浴者）は、ノズルアーム３を前記より更に展開して殆ど垂直の１８０度まで広げて使用することになる。この場合シャワー本体やノズルアーム３の全ての噴霧ノズルが、入浴者２０の全面に向かって温水シャワーを噴射することになる入浴者２０は自由自在に動き回ってシャワー入浴楽しむことが出来る。また、洗髪しながらの正に全身入浴シャワーモードを立ったり座ったりしながら温水シャワー入浴が出来、また入浴者２０の体調や気分等の使用条件、季節や入浴時間等の条件、また朝シャン、スポーツ運動後、子供や障害者、老人等のシャワーによる介護入浴等の諸条件に、更には犬、猫等のペットの洗浄等にも自由自在に対応できる等、利用の自由度が大いに拡大して実用的、多機能的なシャワー装置が実現できたものである。
【００８９】
（実施例１０）
図１、２、３によって実施例１０の説明をする。支持軸３１の筒状内部に、給水ホース３４を貫通するように構成したものである。
【００９０】
次に動作、作用、効果について説明する。限られたシャワー本体１の内部や、薄く構成されたノズルアーム３内への配管ホース引き回しを筒状の支持軸３１内を簡単に貫通させて、極端な屈曲配管がない配管状態にすることが出来るので、配管組立の効率化、スペースの削減、また配管構成部分での屈曲部分が発生しにくく、配管抵抗の減少、更にはノズルアーム３の開閉、収納動作の繰り返し等の操作に関しても、何ら配管相互間に外力が加わらないので、ノズルアーム３の作動がスムーズリーに行え、これによって配管ホースの障害も抑制されて耐久性向上が図られるものである。
【００９１】
【発明の効果】
以上のように請求項１または２記載の発明によれば、シャワー本体と、前記シャワー本体の両側壁部に設けた凹部と、前記凹部の一壁面に設けた接続手段と、前記接続手段に接続されたノズルアームと、前記シャワー本体及びノズルアームに、少なくとも複数種類の噴霧ノズルを配置すると共に、全体形状を略卵状の楕円形状に形成し、また、凹部の上壁面の傾斜角を鋭角にすることにより、シャワー本体を小型コンパクトに構成してどこの家庭にも設置できるようにすると共に、小型コンパクトに構成にも拘らず、シャワー本体の凹部に収納されたノズルアームを上部に末広がるように展開、または収縮すること、またノズルアームが細長く三日月状に湾曲している構成により、子供から大人まで体系の異なるあらゆる入浴者に対してでも、ノズルアームに設置された複数種の噴霧ノズルと、入浴者との位置と距離関係が、比較的比例関係になるために、温水シャワー温度があまり冷えずに入浴者の対表面全領域に、温水シャワーを効率よく噴射させ、よく室内が広々して圧迫感のない、安全で、効率的で快適なシャワー入浴を行うことができる。
【００９２】
以上のことから温水シャワーによる全身への温熱感の促進向上と、シャワー装置のコンパクト性を両立できることになる。
【図面の簡単な説明】
【図１】  図１は本発明の実施例１におけるシャワー装置のシステム全体を示した外観図
【図２】  同シャワー装置の噴出状態を示す外観正面図同装置の上面図
【図３】  同シャワー装置の噴出状態を示す外観側面図
【図４】  同シャワー装置の噴出状態を示す外観平面図
【図５】  同シャワー装置の湯水回路を示す配管系統図
【図６】  図１の接続手段の一部拡大図
【図７】  広角型ノズルの要部断面図とその噴出パターン図
【図８】  旋回型ノズルＡとＢの要部断面図とその噴出パターン図
【図９】  扇型ノズルＡとＢの要部断面図とその噴出パターン図
【図１０】  入浴者が立脚状でシャワー入浴している状態図
【図１１】  従来のシャワー装置の外観側面図
【符号の説明】
１  シャワー本体
２  凹部
３  シャワーアーム
４  接続手段
１２  扇型ノズルＡ
１３  広角型ノズル
１４  旋回型ノズルＡ、
１５  旋回型ノズルＢ
１６  扇型ノズルＢ
【図１】
0004089238.tif 000002
【図２】
0004089238.tif 000003
【図３】
0004089238.tif 000004
【図４】
0004089238.tif 000005
【図５】
0004089238.tif 000006
【図６】
0004089238.tif 000007
【図７】
0004089238.tif 000008
【図８】
0004089238.tif 000009
【図９】
0004089238.tif 000010
【図１０】
0004089238.tif 000011
【図１１】
0004089238.tif 000012